(57)【要約】【課題】  一台のエレベータかごを異なる側面から共用するようにしてエレベータの設置面積を減らすとともに、エレベータかごに異なる側面から乗り合わせなしに専用的に出入りすることができるようにする。【解決手段】  一つの昇降路において、異なる側面の階床に対してそれぞれ出入り口を有するエレベータかごを昇降させ、昇降路の異なる側面から一台のエレベータかごを共用するとともに、一方の側面の階床へのサービス中は他方の側面の階床へのサービスを停止するように制御する。【選択図】      図４
2005194035.tif 000002
【特許請求の範囲】
【請求項１】
第一側の複数階の階床と第二側の複数階の階床との間に昇降路を有し、前記昇降路内に、前記第一側の複数階の階床に対向した第一の出入り口と、前記第二側の複数回の階床に対向した第二の出入り口とを有するエレベータかごを昇降させるとともに、前記一方の側の階床へのサービス中は前記他方の側の階床へのサービスを停止するようにしたエレベータ装置。
【請求項２】
前記一方の側の階床へのサービス中は前記他方の側の階床の乗場にサービス停止中の表示をするようにした請求項１記載のエレベータ装置。
【発明の詳細な説明】
【技術分野】
【０００１】
この発明はエレベータ装置に関するものである。特に、多層ビル又は多層住宅の昇降路の異なる側面の階床へのサービスを分離して行なうことができるエレベータ装置に関するものである。
【背景技術】
【０００２】
例えば従来の家庭用エレベータは、一住戸に一台設置され、そこに住む住民専用として使用していた。また、多層複数住戸の集合住宅では、一台のエレベータを複数の住戸で使用していた。
【０００３】
【特許文献１】特開昭５０−１３５７４９号公報
【発明の開示】
【発明が解決しようとする課題】
【０００４】
上記のように、一住戸に一台のエレベータを使用した場合、設置コストやメンテナンスコストを一住戸で負担しなければならない。また、一台のエレベータを複数の住戸で共用した場合、共用の廊下やエレベータホールを設置することにより負担が大きいという問題がある。また、1台のエレベータに二方から個別専用的に出入りするものでも、双方からの乗り合わせが起きるということがあった。（例えば、特許文献１参照）。
【０００５】
この発明は、上述のような課題を解決するためになされたもので、その目的は、複数の側面から一つの昇降路のエレベータかごを共用するようにしてエレベータの設置面積を減らすとともに、エレベータかごに異なる側面から乗り合わせなしに専用的に出入りすることができるエレベータの装置を提供することにある。
【課題を解決するための手段】
【０００６】
この発明に係るエレベータ装置は、第一側の複数階の階床と第二側の複数階の階床との間に昇降路を有し、前記昇降路内に、前記第一側の複数階の階床に対向した第一の出入り口と、前記第二側の複数回の階床に対向した第二の出入り口とを有するエレベータかごを昇降させるとともに、前記一方の側の階床へのサービス中は前記他方の側の階床へのサービスを停止するようにしたものである。
【発明の効果】
【０００７】
この発明によれば、複数の側面から一つの昇降路のエレベータかごを共用するようにしてエレベータの設置面積を減らすことができる。また、エレベータかごに異なる側面から乗り合わせなしに専用的に出入りすることができる。
【発明を実施するための最良の形態】
【０００８】
実施の形態．
以下、本発明の実施の形態を、隣接する２住戸で共用する家庭用二方口エレベータを例としてその構造及び動作について説明する。
図１は、メゾネット形式の集合住宅において、隣接する二住戸の間に設置され、この二住戸で共用する一台のエレベータ装置を示す概念図である。
このエレベータ装置では、Ａ氏宅１は、一階２と二階３とを有し、Ｂ氏宅４は、一階５と二階６とを有している。この両氏宅の間で、共用エレベータかご室７が、共用エレベータの昇降路８を昇降し両氏宅にサービスをしている。このエレベータ装置は二方口エレベータであり、共用エレベータかご室７はＡ氏宅側の階床と、Ｂ氏宅側の階床に対応して二方にドアを有している。
【０００９】
図２は、Ａ氏宅一階乗場のエレベータ出入口の正面図であり、図１の矢視Ｘ−Ｘ’から見た図である。Ａ氏宅一階乗場の出入口９には、Ａ氏宅一階乗場ドア１０の脇に乗場呼び釦１１と使用中灯１２が設置されている。なお、Ａ氏宅の二階乗場、Ｂ氏宅の一階乗場及び二階乗場も同様の構成になっている。
【００１０】
図３はこのエレベータ装置の動作を説明した運転フローチャートであり、ステップＳ１〜Ｓ１１を有している。
先ず、Ｓ１でＡ氏宅側の乗場釦が動作したかどうかを判定する。ここで、Ａ氏宅側の乗場釦が動作していればＳ２へ進む。Ｓ２では、Ｓ１の判定で、Ａ氏宅側の乗場釦が動作したことになるので、エレベータの制御装置（図示せず）により、Ｂ氏宅側からのエレベータ使用ができないようにするとともに、Ｂ氏宅側の使用中灯を点灯させ「使用中」を表示させる。
【００１１】
次に、Ｓ３でＡ氏宅側の乗場釦に応答する。次に、Ｓ４でＡ氏宅側でかご呼び登録した階へサービスする。そして、Ａ氏宅側からの乗場呼びに全て応答しサービスが完了すると、Ｓ５でＢ氏宅側の使用中灯を消灯し「使用中」表示を消滅させる。
同様に、Ｓ６でＢ氏宅側の乗場釦が動作したかどうかを判定する。ここで、Ｂ氏宅側の乗場釦が動作していればＳ７へ進む。Ｓ７では、Ｓ６の判定で、Ｂ氏宅側の乗場釦が動作したことになるので、Ａ氏宅側からのエレベータ使用を不可とするとともに、Ａ氏宅側の「使用中」灯を点灯させる。
【００１２】
次に、Ｓ８でＢ氏宅側の乗場釦に応答する。次に、Ｓ９でＢ氏宅側の人間がかご呼び登録した階へサービスする。そして、Ｂ氏宅側の乗場呼びに全て応答しサービスが完了すると、Ｓ１０でＡ氏宅側の「使用中」灯を消灯させる。また、Ａ氏宅、Ｂ氏宅とも全ての乗場呼びが無ければ、Ｓ１１でエレベータは停止状態を継続する。
【００１３】
図４、図５は、Ａ氏宅とＢ氏宅との間で共用エレベータ装置を使用する状態を説明するための概念図である。
図４において、Ａ氏宅１の一階２には、Ａ氏宅住人１３がいる。Ａ氏宅二階３の乗場には呼び釦１４と使用中灯１５とが設置されている。Ｂ氏宅４の一階５の乗場には、呼び釦１６と使用中灯１７とが設置され、二階６の乗場には、呼び釦１８と使用中灯１９とが設置されている。
【００１４】
今、例えば図４に示すように、Ａ氏宅住人１３が一階乗場呼び釦１１を押すと、共用エレベータかご室７がＡ氏宅一階に到着し、Ａ氏宅一階の乗場ドアを開ける。
次に、Ａ氏宅住人１３が共用エレベータかご室７に乗り込み、二階へのかご行き先釦を押すと、Ａ氏側のみの乗場呼びに応答しながら目的階へ向かう。
そして、図５に示すように、目的階に到着するとＡ氏宅側二階のみの乗場ドアが開く。
【００１５】
この間、Ｂ氏宅側の乗場では、Ｂ氏宅の一階使用中灯１７、二階使用中灯１９を点灯させ、他者がエレベータを使用していることが分るように表示をさせ乗場呼びには応答しないようにする。この表示は、音声による報知を伴うようにしてもよいし、あるいは音声のみによってもよい。
以上のように、このエレベータ装置は、Ａ氏宅でも、Ｂ氏宅でも、あたかも自分の住戸専用のエレベータのように運転することができる。
【００１６】
以上のように、この発明に係るエレベータ装置は、第一側（例えばＡ氏宅１側）の複数階の階床と第二側（例えばＢ氏宅４側）の複数階の階床との間に昇降路８を有し、この昇降路８内に、前記第一側の複数階の階床に対向した第一の出入り口と、前記第二側の複数回の階床に対向した第二の出入り口とを有するエレベータかご７を昇降させる。そして、制御装置により前記第一又は第二のうちの一方の側の階床へのサービス中は、前記第一又は第二のうちの他方の側の階床へのサービスを停止するようにする。また、停止側の階床ではサービス停止中であることを表示する。
【００１７】
このように、この発明のエレベータ装置は、二つの住戸の間に昇降路を設け、共通の二方口のエレベータかご室を昇降させ、それぞれ専用の乗場に専用の乗場釦を設け、制御装置により、一方の住戸からエレベータを使用中は他方の住戸からのエレベータ使用を禁止するように制御するものである。
【００１８】
この発明のエレベータ装置によれば、二住戸で一つの昇降路を共有することにより、エレベータの設置面積を減らして居住空間を広げることができる。
また、エレベータを二住戸で一台もてばよく、設置コストが半分ですむ。また、定期的なメンテナンスのコストや、月々の電気代も約半分程度となる。
そして、二方口であるが、それぞれの住人から見れば、片方のドアしか動作しないため、自分の住居専用のエレベータのように感じられるものである。また、それぞれの住人が乗り合わせることも無いのでプライバシーが保たれ快適に使用できるものである。
【００１９】
以上は、二住戸の共用エレベータ装置を例にして説明したが、このエレベータ装置は、二住居用には限られず、また集合住宅用などだけでなく、集合オフィスであっても同様に適用できるものである。
【図面の簡単な説明】
【００２０】
【図１】この発明の実施の形態における、二住戸共用のエレベータ装置を示す概念図である。
【図２】図１の矢視Ｘ−Ｘ’から見た、エレベータ乗場の正面図である。
【図３】この発明の実施の形態における、エレベータ装置の動作を説明した運転フローチャートである。
【図４】この発明の実施の形態における、共用エレベータ装置の使用状態を説明するための概念図である。
【図５】この発明の実施の形態における、共用エレベータ装置の使用状態を説明するための概念図である。
【符号の説明】
【００２１】
１  Ａ氏宅、  ２  Ａ氏宅一階、  ３  Ａ氏宅二階、  ４  Ｂ氏宅、  ５  Ｂ氏宅一階、６  Ｂ氏宅二階、  ７  共用エレベータかご室、  ８  共用エレベータの昇降路、  ９  Ａ氏宅一階乗場の出入口、  １０  Ａ氏宅一階乗場ドア、  １１  Ａ氏宅一階乗場呼び釦、  １２  Ａ氏宅一階使用中灯、  １３  Ａ氏宅住人、  １４  Ａ氏宅二階乗場呼び釦、１５  Ａ氏宅二階使用中灯、  １６  Ｂ氏宅一階乗場呼び釦、  １７  Ｂ氏宅一階使用中灯、  １８  Ｂ氏宅二階乗場呼び釦、  １９  Ｂ氏宅二階使用中灯。
【図１】
2005194035.tif 000003
【図２】
2005194035.tif 000004
【図３】
2005194035.tif 000005
【図４】
2005194035.tif 000006
【図５】
2005194035.tif 000007